(57)【要約】【課題】  温度影響が大きい環境下においても太陽電池の出力特性を正確に測定することができる太陽電池出力の測定装置および太陽電池出力測定方法を提供すること。【解決手段】  太陽電池の温度を被検査太陽電池とほぼ同じ構造を有する単セルまたはミニモジュールからなる温度測定用太陽電池を具備し、その開放電圧を被検査太陽電池を測定する電流電圧特装置を使って測定し、一方で太陽電池および温度測定用太陽電池を温度センサで温度を測定する。温度測定用太陽電池の開放電圧から温度を算出し、その算出した温度に対して、太陽電池および温度測定用太陽電池の温度差を演算して太陽電池の温度を算出し、その温度を使って補正をすることで太陽電池の出力特性を測定する。【選択図】図１
2018133955.tif 000002
【特許請求の範囲】
【請求項１】
太陽電池出力の測定装置であって、
温度測定用太陽電池（３０）と
放射照度測定用太陽電池（４０）と、
被検査太陽電池（２０）、前記温度測定用太陽電池（３０）および前記放射照度測定用太陽電池（４０）の各温度を検出する温度測定部（６０）と、
被検査太陽電池（２０）、前記温度測定用太陽電池（３０）および前記放射照度測定用太陽電池（４０）の各電気特性を測定する電気特性測定部（５０）と、
前記温度測定部（６０）と前記電気特性測定部（５０）からの測定データを取得して所定の演算処理を実施する処理部（７０）と、を備え、
前記処理部（７０）は、
前記温度測定用太陽電池（３０）の電流電圧特性（Ｉｔ’，Ｖｔ’）と、前記放射照度測定用太陽電池（４０）の短絡電流（ＩＲＣ’）ともとに、前記温度測定用太陽電池（３０）の基準状態の放射照度に補正した開放電圧（ＶＲＣ）を演算し、該基準状態の放射照度に補正した開放電圧（ＶＲＣ）と、前記温度測定用太陽電池（３０）の温度データ（Ｔｔ’）および前記被検査太陽電池（２０）の温度データ（Ｔ’）をもとに、被検査太陽電池（２０）の基準状態における電流電圧特性（Ｉ，Ｖ）を演算する演算部（７１）を、備えてなる
ことを特徴とする太陽電池出力の測定装置。
【請求項２】
前記温度測定用太陽電池（３０）の開放電圧は、前記電気特性測定部（５０）により測定されることを特徴とする
請求項１記載の太陽電池出力の測定装置。
【請求項３】
前記電気特性測定部（５０）は、前記被検査太陽電池（２０）との接続と、前記温度測定用太陽電池（３０）との接続とを切り替え可能とするスイッチ（Ｓｗ）を備えている
ことを特徴とする請求項２記載の太陽電池出力の測定装置。
【請求項４】
前演算部（７１）は、
温度および電気的特性の測定データをもとに、基準状態における電気的特性を演算可能な演算式を備えており、前記温度測定用太陽電池（３０）または前記被検査太陽電池（２０）の各測定データに基づいて、各太陽電池の電気的特性を前記演算式により演算する
ことを特徴とする請求項１記載の太陽電池出力の測定装置。
【請求項５】
前記処理部（７０）はメモリ（７２）を備えてなり、当該メモリ（７２）に予め測定された前記温度測定用太陽電池（３０）の電気的特性を演算するための演算用パラメータ（Ｐｔ２０，Ｐｉ２０）を保存している
ことを特徴とする請求項１記載の太陽電池出力の測定装置。
【請求項６】
前記演算用パラメータは、基準状態での開放電圧、開放電圧の温度係数、直列抵抗、および放射照度測定用の太陽電池の基準状態での短絡電流、短絡電流の温度係数からなる
ことを特徴とする請求項５に記載の太陽電池出力測定装置。
【請求項７】
太陽電池出力の測定方法であって、
被検査太陽電池（２０）と同じ構成を具備した単セルまたはミニモジュールからなる温度測定用太陽電池（３０）、および被検査用太陽電池（２０）と同じ構成を具備した単セルまたはミニモジュールからなる前記放射照度測定用太陽電池（４０）を用意し、
被検査太陽電池（２０）、前記温度測定用太陽電池（３０）および前記放射照度測定用太陽電池（４０）の実測温度を検出する工程と、
被検査太陽電池（２０）、前記温度測定用太陽電池（３０）および前記放射照度測定用太陽電池（４０）の各電気特性を検出する工程と、
前記温度測定用太陽電池（３０）の電流電圧特性（Ｉｔ’，Ｖｔ’）を、前記放射照度測定用太陽電池（４０）からのデータをもとに基準状態の放射照度に補正した開放電圧（ＶＲＣ）を取得する工程と、
前記基準状態の放射照度に補正した開放電圧データ（ＶＲＣ）、前記温度測定用太陽電池（３０）の温度データ（Ｔｔ’）および前記被検査太陽電池（２０）の温度データ（Ｔ’）をもとに、被検査太陽電池（２０）の基準状態における電流電圧特性（Ｉ，Ｖ）を取得する工程とを含む
ことを特徴とする太陽電池出力の測定方法。
【発明の詳細な説明】
【技術分野】
【０００１】
本発明は、太陽電池出力測定装置および測定方法に関する。
【背景技術】
【０００２】
太陽光エネルギーの利用方法として、シリコン型の太陽電池を用いて太陽光エネルギーを電力に変換する手法が広く知られている。
そして、太陽電池においては、研究開発、製造、設置および使用にわたるすべての過程において、その性能（発電能力）を正確に評価することが重要とされている。
太陽電池の性能評価には、通常、出力特性が測定される。具体的に、太陽電池の出力特性の測定は、光照射下における電流電圧特性を光電変換特性として測定することによって行われる。
太陽電池の出力特性を測定する際に、太陽電池に照射する光としては、太陽光やソーラシミュレータ（擬似太陽光照射装置）からの出射光が用いられる。
【０００３】
一般に、太陽電池などの光電変換素子の電流電圧特性は、以下のようにして測定される。先ず、光電変換素子に光を照射する。次いで、光電変換素子にバイアス電圧を印加し、当該光電変換素子で生成される電圧値を測定すると共に、当該電圧値における電流値を測定する。その後、光電変換素子に印加するバイアス電圧をステップ状に変化させて、光電変換素子で生成される電圧値および当該電圧値における電流値を測定する操作を繰り返すことにより、多数の電圧−電流データを取得する。そして、これらの電圧−電流データに基づいて、光電変換素子の電流電圧特性を求める。このような光電変換素子の電流電圧特性測定方法は、例えば特許文献１に記載されている。
【０００４】
また、太陽電池の電流電圧特性は基準状態（ＳＴＣ：Ｓｔａｎｄａｒｄ Ｔｅｓｔ Ｃｏｎｄｉｔｉｏｎ）で性能を評価する。ここで、基準状態における太陽電池の温度は２５℃、 放射照度は１０００Ｗ／ｍ２である。しかしながら、屋外での太陽光での測定の場合、基準状態での測定することは非常に困難であり、屋内でのソーラシミュレータ（擬似太陽光照射装置）による測定であっても基準状態と異なる場合もある。その場合、太陽電池と、ほぼ同じ構造を有する単セルまたはミニモジュールを用いて放射照度の測定を行うと共に、太陽電池の裏面に接触させた熱電対等の温度センサもしくは放射温度計などを使って太陽電池の温度の測定を行う。そして測定した放射照度と温度のデータを用いて、ＩＥＣ ６０８９１やＪＩＳ Ｃ８９１３などで規定された補正手順に従い、基準状態への補正が行われる。
【０００５】
基準状態への補正式の一例として、下記の数式１〜数式３にＩＥＣ ６０８９１の補正手順を示す。電流電圧特性の測定時間内の放射照度の変動が少ない場合は、電流値は（１）式、電圧値は（２）式で補正される。数式１〜数式３はそれぞれ、電流値（Ｉ）および電圧値（Ｖ）データを、測定値（Ｉ１，Ｖ１）から基準状態（Ｉ２，Ｖ２）に換算する式である。
【数１】
2018133955.tif 000003
【数２】
2018133955.tif 000004
電流電圧特性の測定時間内の放射照度の変動が多い場合は、電流値は（３）式で補正される。
【数３】
2018133955.tif 000005
Ｉ    ：電流値（Ａ）
Ｖ    ：電圧値（Ｖ）
Ｇ    ：放射照度（Ｗ／ｍ２）
Ｔ    ：温度（℃）
α    ：温度が１℃変化したときの短絡電流の変動値（Ａ／℃） 
β    ：温度が１℃変化したときの開放電圧の変動値（Ｖ／℃）
Ｒｓ  ：直列抵抗（Ω）
Ｋ    ：曲線補正因子（Ω／℃）
Ｉｓｃ：短絡電流（Ａ）
Ｇ’  ：Ｉ，Ｖ測定時の放射照度（Ｗ／ｍ２）
Ｇｓｃ：Ｉｓｃ測定時の放射照度（Ｗ／ｍ２）
【０００６】
しかし、実際のところ、太陽電池の温度測定には様々な問題がある。以下、図面を参照してこれを説明する。
図３は、太陽電池セルの検査工程での温度測定の一例の説明図である。図３（ａ）は上面図、図３（ｂ）は側面図である。
図３で示されるように、太陽電池セル１０を検査台１１に載置し、太陽電池セル１０に光を照射して、発生した電流電圧特性を測定する。検査台１１の表層部は、銅など熱伝導率の良い材質で構成されており、その内部に温度センサ１２が挿入されている。
太陽電池の検査では、温度を測定しつつ、チラーやペルチェ等（不図示）を使用して基準状態の温度（２５℃）となるよう恒温制御を行う場合がある。しかし、室温など周囲温度が影響するため、温度センサ１２で測定された温度が実際の太陽電池の温度と一致するとは限らない。
【０００７】
また、ラミネートされた太陽電池モジュールは、図４に示されるように、表側のガラス板１４と裏側の樹脂からなるバックシート１６の間に、複数の太陽電池セル１０がインターコネクタ１３で配線され、ＥＶＡ（エチレンビニールアセテート）１５に挟まれた状態で配置されており、周囲がフレーム１７で固定されてラミネートされた構造である。このような太陽電池モジュールを温度測定しようとしても、バックシート１６表面、もしくは、ガラス板１４の表面の温度しか検出することができないため、実際の複数の太陽電池セル１０の温度とは差異が生じる可能性がある。特に、屋外において検査する場合、恒温制御することはもちろん不可能で、日射量や風などの影響を直接的に受けるため、太陽電池の温度を正確に測定することが一層困難である。
しかしながらこのような困難な状況下でも、太陽電池が温度依存性を有する以上、また、規格において温度条件が定められる以上、太陽電池の温度を正確に検出することは必須に要求されることである。
【０００８】
太陽電池の温度依存性に着目し、太陽電池の出力を測定（補正）する方法として、特許文献２が知られている。特許文献２記載の技術では、検査対象の太陽電池モジュールとほぼ同じ構造を有する単セルまたはミニモジュールを用い（以下、単に「単セル等」とも言う）、これを放射照度検出や内部セル温度算出用として使用し、検査対象の太陽電池の温度を算出して補正するというものである。
具体的には、太陽電池モジュールの温度と単セル等の開放電圧との関係を予め測定して換算表を作成し、この換算表により、太陽電池の温度を（実測することなく）推定するというものである。
しかしながら、かかる換算表における開放電圧においては、放射照度に対しての相関しか考慮されておらず、太陽電池の正確な温度の算出は難しい。
【先行技術文献】
【特許文献】
【０００９】
【特許文献１】特開２００５−３１７８１１号公報
【特許文献２】特開２０１５−１３５８８２号公報
【発明の概要】
【発明が解決しようとする課題】
【００１０】
図５は、基準状態と異なる状態で測定したときの、Ｉ−Ｖ曲線の一例を模式的に示した図である。
図５（ａ）は、基準状態の温度（２５℃）において、異なる放射照度の光を照射したときのＩ−Ｖ曲線、同図（ｂ）は、基準状態の放射照度（１０００Ｗ／ｍ２）において、異なる温度下で光を照射したときのＩ−Ｖ曲線、同図（ｃ）は、基準状態（温度（２５℃）および放射照度（１０００Ｗ／ｍ２））とは温度も放射照度も異ならせた状態で光を照射したときのＩ−Ｖ曲線である。
これらの図から、太陽電池の短絡電流は放射照度に大きく依存し、開放電圧は温度に大きく依存していると分かる。すなわち、太陽電池の短絡電流および開放電圧は、放射照度に対する特性と温度に対する特性とで異なっている。
このような、測定環境（条件）に対する依存性に由来し、単セル等の開放電圧（のみ）から太陽電池モジュールの温度を算出しようとすると、誤差を含んでしまう可能性がある。
【００１１】
また、単セル等について、放射照度および温度を考慮し、多大な労力をかけて短絡電流および開放電圧に関して基準用の換算表を作成したとしても、その表は特定の太陽電池モジュールにしか適用できない。そのため太陽電池の仕様毎に同様の換算表の作成が必要となる。
特に屋外で検査する場合は、温度や放射照度が一定ではない環境下であると共に、基準状態（温度（２５℃）および放射照度（１０００Ｗ／ｍ２））との差も大きい。また、検査用の太陽電池モジュールと単セル等との温度条件や放射照度条件が同一にならないことがある。そして、両者の温度差、放射照度差などの誤差を考慮せずに補正した結果、太陽電池を正確に検査できない、といった問題が生じる。
【００１２】
以上の課題に鑑み、本発明が解決しようとする課題は、太陽電池の出力特性を正確に測定することができる太陽電池出力測定方法および装置を提供することであり、特に温度影響が大きい環境下においても、基準状態における測定と同等の結果を実現することが可能な、太陽電池出力測定方法および装置を提供することを目的とする。
【課題を解決するための手段】
【００１３】
そこで本発明にかかる太陽電池出力の測定装置は、
温度測定用太陽電池（３０）と
放射照度測定用太陽電池（４０）と、
被検査太陽電池（２０）、前記温度測定用太陽電池（３０）および前記放射照度測定用太陽電池（４０）の各温度を検出する温度測定部（６０）と、
被検査太陽電池（２０）、前記温度測定用太陽電池（３０）および前記放射照度測定用太陽電池（４０）の各電気特性を測定する電気特性測定部（５０）と、
前記電気特性測定部（５０）からの測定データを取得して所定の演算処理を実施する処理部（７０）と、を備え、
前記処理部（７０）は、
前記温度測定用太陽電池（３０）の電流電圧特性（Ｉｔ’，Ｖｔ’）を前記放射照度測定用太陽電池（４０）からのデータをもとに基準状態の放射照度の開放電圧データ（ＶＲＣ）を演算により得ると共に、前記開放電圧データ（ＶＲＣ）、前記温度測定用太陽電池（３０）の温度データ（Ｔｔ’）および前記被検査太陽電池（２０）の温度データ（Ｔ’）をもとに被検査太陽電池（２０）の基準状態における電流電圧特性を演算により得る演算部（７１）を備えてなることを特徴とする。
【００１４】
また、温度測定用太陽電池（３０）の開放電圧データ（ＶＲＣ）は、前記電気特性測定部（５０）により測定されることを特徴とする。
【００１５】
また、前記電気特性測定部（５０）は、被検査太陽電池（２０）と前記温度測定用太陽電池（３０）との間の接続を切替可能なスイッチ（Ｓｗ）を備えているのがよい。
【００１６】
また、前演算部（７１）は、  温度および電気的特性の測定データをもとに基準状態における電気的特性に演算可能な演算式を備えており、前記温度測定用太陽電池（３０）または前記被検査太陽電池（２０）の各測定データに基づいて、各太陽電池の電気的特性を前記演算式により演算するものであるのがよい。
【００１７】
また、前記処理部（７０）はメモリ（７２）を備えてなり、当該メモリ（７２）に予め測定された前記温度測定用太陽電池（３０）の演算用パラメータ（Ｐｔ２０，Ｐｉ２０）を保存しているのがよい。
【００１８】
また、前記演算用パラメータ（Ｐｔ２０，Ｐｉ２０）は、基準状態での開放電圧、開放電圧の温度係数、直列抵抗、および放射照度測定用太陽電池（４０）の基準状態での短絡電流、短絡電流の温度係数からなるのがよい。
【００１９】
また、本発明の太陽電池出力の測定方法においては、
被検査太陽電池（２０）と同じ構成を具備した単セルまたはミニモジュールからなる温度測定用太陽電池（３０）および前記放射照度測定用太陽電池（４０）を用意し、
被検査太陽電池（２０）、前記温度測定用太陽電池（３０）および前記放射照度測定用太陽電池（４０）の実測温度を検出する工程と、
被検査太陽電池（２０）、前記温度測定用太陽電池（３０）および前記放射照度測定用太陽電池（４０）の各電気特性を検出する工程と、
前記温度測定用太陽電池（３０）の電流電圧特性（Ｉｔ’，Ｖｔ’）を、前記放射照度測定用太陽電池（４０）からのデータをもとに基準状態の放射照度に補正して開放電圧データ（ＶＲＣ）を取得する工程と、
前記開放電圧データ（ＶＲＣ）、前記温度測定用太陽電池（３０）の温度データ（Ｔｔ’）および前記被検査太陽電池（２０）の温度データ（Ｔ’）をもとに、被検査太陽電池（２０）の基準状態における電流電圧特性を取得する工程とを含むことを特徴とする。
【発明の効果】
【００２０】
本発明にかかる太陽電池出力の測定装置によれば、温度測定用太陽電池および放射照度測定用太陽電池を具備し、温度と放射照度とを切り分けて補正を実施できるので、内部の温度を精度良く測定でき、したがって、太陽電池の性能を評価するための出力特性をより高い精度で測定することが可能となる。
【００２１】
また、本発明の出力測定装置においては、２つの特性の異なる太陽電池を測定することができ、ここでは被検査太陽電池の電流電圧特性の測定だけでなく、電気特性測定部の配線を切り替えるのみで、温度測定用太陽電池の開放電圧を測定することができ、開放電圧測定用の装置が新たに必要なく導入コストを抑えることができる。
【００２２】
本発明の電圧電流特性の測定方法においては、２つの特性の異なる太陽電池を測定する際、それぞれ演算を行う必要があるが、予め太陽電池ごとにパラメータを与え、格納・保存し、パラメータを適宜に切り替えることで、同一プログラムで演算することが可能である。即ち、電気特性測定部の配線の切り替えに応じてパラメータを切り替えることで太陽電池ごとに個別にプログラムを作成する必要が無いので汎用性の高い。
【００２３】
本発明の被検査太陽電池の温度の測定方法においては、太陽電池出力測定装置を構成する太陽電池の補正パラメータのみで、被検査太陽電池の温度を算出できるので、未知の被検査太陽電池であっても温度を測定することができる。
【００２４】
本発明の被検査太陽電池の温度の測定方法においては、温度測定用太陽電池および放射照度測定用太陽電池を具備し、温度と放射照度とを切り分けて補正を実施できるので、内部の温度を精度良く測定（特定）することが可能となり、太陽電池の性能を評価するための出力特性を、より高い精度で測定することが可能となる。
【図面の簡単な説明】
【００２５】
【図１】本発明にかかる太陽電池出力測定装置の構成の一例を示すブロック図である。
【図２】本発明にかかる太陽電池出力測定方法の一例を示す測定パラメータとフローチャートである。
【図３】太陽電池セルの検査工程での温度測定の一例の説明図である。
【図４】太陽電池モジュールの構造の一例の説明図である。
【図５】基準状態と異なる状態で測定したＩ−Ｖ曲線の一例の説明図である。
【発明を実施するための形態】
【００２６】
以下、本発明にかかる太陽電池出力測定装置の実施の形態を、図面を参照しながら説明する。なお以下の説明では先に示した図３、図４も参照しながら説明する。
【００２７】
図１は、本発明の一実施形態を説明する図であり、太陽電池出力測定装置の要部構成を示すブロック図である。図３は太陽電池セルの検査工程での温度測定の一例の説明図で、検査台、太陽電池および温度センサの位置関係を示している。図４は一般的な太陽電池モジュールの内部構造を説明する説明用断面図である。
太陽電池出力測定装置１００が特性を測定する被検査太陽電池２０は、太陽電池セル或いは太陽電池モジュールよりなる。なお、太陽電池モジュールは、例えば図４で示される構成を備えており、太陽光受光側となる上部がガラス板１４で、下部が樹脂からなるバックシート１６で構成されており、内部空間には上側からＥＶＡ１５、太陽電池セル１０、ＥＶＡ１５がこの順に積層された状態で配置されていて、ガラス板１４とバックシート１６の周囲がフレーム１７によって覆われてラミネートされて構成されている。モジュールの空間内部の太陽電池セル１０は複数配置されており、インターコネクタ１３によって直列に接続されて配置されている。同図では不図示としたが、電極によって外部に導出されている。
【００２８】
本発明にかかる太陽電池出力測定装置１００は、２つの補正用太陽電池（単セルまたはミニモジュール）を備えており、一つは温度測定用太陽電池（以下温度用太陽電池ともいう）３０であり、もう一つは放射照度測定用太陽電池（以下放射照度用太陽電池ともいう）４０である。
温度用太陽電池３０および放射照度用太陽電池４０は、被検査太陽電池２０の測定条件を基準状態に補正するため具備されており、いずれも、被検査太陽電池２０と同一或いはほぼ同等の構成を備えたものが用いられる。被検査太陽電池２０が太陽電池セルである場合は、これとほぼ同じ構造の単セルが準備され、被検査太陽電池２０が太陽電池モジュールである場合、ほぼ同じ構造のミニモジュールが準備されることになる。
【００２９】
温度用太陽電池３０および放射照度用太陽電池４０は、被検査太陽電池２０の近傍であって、被検査太陽電池２０と同等の環境条件下（温度・放射照度など）に配置されることが好ましい。また、太陽電池が配置される各検査台についても同等の構成を備えることが好ましい。被検査太陽電池２０、温度用太陽電池３０および放射照度用太陽電池４０が載置された検査台の各々には、それぞれ温度センサ（２１，３１，４１）が設けられている。温度センサ（２１，３１，４１）は、例えば検査台の内部（図３参照）や、各太陽電池の背面に直接付設する方法が採用されるが、いずれの太陽電池も測定条件がほぼ同じになるように接続されるのが良い。なお、温度センサは例えば熱電対であり、熱電対からのデータが後述する温度測定部６０に送信され、更に温度測定部６０からの温度データが処理部（７０）に送信される。
【００３０】
太陽電池の測定に際しては、被検査太陽電池２０、温度用太陽電池３０および放射照度用太陽電池４０に対し、太陽光やソーラシュミレータ等からの疑似太陽光が照射される。このように、屋外において太陽光を光源とし、太陽電池の特性を測定することも想定されるので、本発明にかかる太陽電池出力測定装置では、光源装置を含まない場合もある。
【００３１】
図１において、符号５０は電気特性測定部である。
電気特性測定部５０は、ＡＤコンバータおよびバイアス電源を含んで構成されており、太陽電池（２０，３０）に対してバイアス電圧をステップ状に印加し、同時に回路に流れる電流の電圧値、電流値および放射照度用太陽電池（４０）の短絡電流を測定する。図１中、電気特性測定部５０に対して、被検査太陽電池（２０）と温度用太陽電池（３０）とが切り替え可能に接続されている。そして、電気特性測定部（５０）と被検査太陽電池（２０）および温度用太陽電池（３０）との接続を、適宜切り替えることにより、両方の太陽電池の電流電圧特性が測定できる。切り替えは、例えばスイッチＳｗによって行われる。このように、電気特性測定部を二つの太陽電池に対して切り替え可能に接続することで、二つの太陽電池に対して電気特性測定部（５０）を共用することができ、簡単な構成とすることができる。
【００３２】
符号６０は温度測定部である。温度測定部６０は被検査太陽電池２０、温度用太陽電池３０および放射照度用太陽電池４０にそれぞれ設けられた温度センサ（２１，３１，４１）からの電力データをもとに、各部位における実測温度データに換算する。そして換算した温度データを処理部７０に送信する。
【００３３】
図２を参照して実施形態に係る太陽電池出力測定方法を説明する。
図２は、本発明にかかる太陽電池出力測定方法を説明する図であり、測定パラメータおよびフローチャートを示している。
以下、被検査太陽電池２０の電圧電流特性測定を行い、基準状態での被検査太陽電池２０の出力特性を測定するまでの手順を示す。
【００３４】
図２において、パラメータＰ１０は、被検査太陽電池２０の測定パラメータの一例である。印加開始電圧：Ｖｓ、印加終了電圧：Ｖｅ、測定点数：Ｐなどからなる。これらは予め処理部７０内のメモリ７２に保存されている。
【００３５】
処理部７０は、データの管理、演算、保存などの処理を行うものであり、具体的にはパソコンである。また、符号７３は表示部でありモニタ等に出力データを表示することが可能である。
【００３６】
パラメータＰｔ１０は、温度用太陽電池３０の測定パラメータの一例である。印加開始電圧：Ｖｔｓ、印加終了電圧：Ｖｔｅ、測定点数：Ｐｔなどからなる。これらは予め処理部７０内のメモリ７２に保存されている。
【００３７】
パラメータＰ２０は、被検査太陽電池２０の基準状態への補正パラメータの一例である。短絡電流の温度係数：α、開放電圧の温度係数：β、直列抵抗：Ｒｓ、極性補正因子：Κなどからなる。これらは予め処理部７０内のメモリ７２に保存されている。
【００３８】
パラメータＰｔ２０は、温度用太陽電池３０の開放電圧から温度を算出するためのパラメータである。基準状態での開放電圧：ＶＲＣ,ＳＴＣ、開放電圧の温度係数：βＲＣ、放射照度補正パラメータとしての直列抵抗：ＲｓＲＣなどからなる。これらは予め処理部７０内のメモリ７２に保存されている。
【００３９】
パラメータＰｉ２０は、放射照度用太陽電池４０の温度補正パラメータである。短絡電流の温度係数：αＲＣ、放射照度補正パラメータとして基準状態での短絡電流：ＩＲＣ,ＳＴＣなどからなる。これらは予め処理部７０内のメモリ７２に保存されている。
【００４０】
まず、被検査太陽電池（２０）、温度用太陽電池（３０）および放射照度用太陽電池（４０）の温度測定が、温度センサ（２１，３１，４１）により同時に開始される（ステップＳ１０，ステップＳｔ１０，ステップＳｉ１０）。ステップＳ１０では、被検査太陽電池（２０）の温度Ｔ’が、ステップＳｔ１０では、温度用太陽電池（３０）の温度Ｔｔ’が、ステップＳｉ１０では、放射照度用太陽電池（４０）の温度Ｔｉが、それぞれ測定される。
【００４１】
続いてステップＳｔ２０に進む。ここではＰｔ１０で記憶した測定パラメータ（Ｖｔｓ，Ｖｔｅ，Ｐｔ）を使用し、温度用太陽電池（３０）の電流および電圧特性（Ｉｔ’，Ｖｔ’）が測定される。なお、かかる測定においては、図１中のスイッチＳｗは温度用太陽電池（３０）側に接続され、電気特性測定部（５０）によって電流電圧データが測定される。このように、電気特性測定部（５０）が、被検査用太陽電池（２０）および温度用太陽電池（３０）に対して切り替え可能であることで、電気特性測定部（５０）を二つの太陽電池に対して共用できる。したがって、太陽電池毎に電気特性測定部を設ける必要が無く簡単な構成とすることができる。
【００４２】
また、ステップＳｔ２０と同時に、ステップＳｉ２０において、放射照度用太陽電池（４０）の放射照度として、短絡電流ＩＲＣ’が測定される。
【００４３】
ステップＳｔ２０，Ｓｉ２０が完了するとステップＳｉ３０に進む。Ｐｉ２０で記憶した温度係数αＲＣと、ステップＳｉ１０で測定された温度Ｔｉとをもとに、放射照度用太陽電池（４０）の短絡電流ＩＲＣ’の温度補正が実施される。
【００４４】
以下は温度補正の演算式である。
（補正式１）
ＩＲＣ＝ＩＲＣ’＋αＲＣ（２５−Ｔｉ）            （補正式１）
短絡電流ＩＲＣ’の温度補正は、上式に示すように、基準状態の温度である２５℃と測定した温度Ｔｉとの差分を、単位温度当たりの温度係数αＲＣに乗じ、その値をかかる短絡電流ＩＲＣ’に加算することによって行われる。これにより、放射照度用太陽電池（４０）の、基準状態の温度に補正された短絡電流ＩＲＣが算出される。
【００４５】
続いてステップＳｔ４０に進む。ここでは、ステップＳｔ２０で測定した温度用太陽電池（３０）の電流電圧特性（Ｉｔ’，Ｖｔ’）を放射照度補正した（Ｉｔ，Ｖｔ）を求める。放射照度補正には、パラメータＰｉ２０で記憶した基準状態での短絡電流ＩＲＣ,ＳＴＣ、ステップＳｉ３０において算出した基準状態の温度に補正された短絡電流ＩＲＣ、パラメータＰｔ２０で記憶した直列抵抗ＲｓＲＣを使用する。
【００４６】
以下の補正式２、３は上記放射照度補正のための演算式である。
（補正式２）
Ｉｔ＝Ｉｔ’＋Ｉｓｃｔ’（ＩＲＣ,ＳＴＣ／ＩＲＣ−１）    （補正式２）
（補正式３）
Ｖｔ＝Ｖｔ’−ＲｓＲＣ（Ｉｔ−Ｉｔ’）                  （補正式３）
ここで、Ｉｓｃｔ’は、ステップＳｔ２０において測定した電流電圧特性（Ｉｔ’，Ｖｔ’）から求めた短絡電流である。
【００４７】
上記補正式２，３において、電流値は上述した数式１の（１）式、電圧値は数式２の（２）式のうち、温度の単位を含む変数のない項のみを使用して演算される。例えば、電流値は数式１の（１）式のα・（Ｔ２−Ｔ１）の項以外のもので演算され、電圧値は（２）式のΚ・Ｉ２（Ｔ２−Ｔ１）およびβ・（Ｔ２−Ｔ１）の項以外のもので演算される。これにより、放射照度の補正のみが実行される。
【００４８】
続くステップＳｔ５０では、温度用太陽電池３０の基準状態の放射照度に補正された開放電圧ＶＲＣが、上記補正式２，３で求められた放射照度補正後の電流電圧特性値（Ｉｔ，Ｖｔ）から算出（測定）される。
【００４９】
続くステップＳｔ６０では、温度用太陽電池３０の温度Ｔｔを演算する。温度Ｔｔは、Ｐｔ２０で記憶した基準状態での開放電圧ＶＲＣ,ＳＴＣと開放電圧の温度係数βＲＣ、およびステップＳｔ５０で算出した基準状態の放射照度に補正された開放電圧ＶＲＣから求められる。ここで、基準状態の放射照度に補正された開放電圧ＶＲＣは、ステップＳｔ４０において求めた放射照度補正のみにより算出したものであるから、基準状態の放射照度に補正された開放電圧ＶＲＣと基準状態での開放電圧ＶＲＣ,ＳＴＣとの差分は、温度成分を原因として基準状態から変動した電圧値である。
したがって、この基準状態から変動した電圧値（基準状態の放射照度に補正された開放電圧ＶＲＣと基準状態での開放電圧ＶＲＣ,ＳＴＣとの差分）を、単位温度当たりの温度係数βＲＣで除すると、基準状態から変動した温度差が算出できる。
この基準状態から変動した温度差に、基準状態の温度である２５℃を加算することによって、温度用太陽電池３０の温度Ｔｔを求めることができる。
【００５０】
続くステップＳ７０では、ステップＳ１０で測定した被検査太陽電池２０の実測温度Ｔ’、ステップＳｔ１０で測定した温度用太陽電池３０の実測温度Ｔｔ’およびステップＳｔ６０で算出した温度用太陽電池３０の温度Ｔｔから、補正式４に基づいて、被検査太陽電池２０の温度Ｔが算出される。
【００５１】
（補正式４）
Ｔ＝Ｔｔ＋（Ｔ’−Ｔｔ’）        補正式４
被検査太陽電池（２０）の温度Ｔは、温度用太陽電池（３０）の温度Ｔｔとは、設置場所が異なるため温度差が生じる可能性がある。しかし、その温度差は、被検査太陽電池（２０）の実測した温度Ｔ’と、温度用太陽電池（３０）の実測した温度Ｔｔ’の温度差から求めることができる。
【００５２】
即ち、上記補正式４に従って、ステップＳｔ６０で求めた温度測定用３０の太陽電池温度Ｔｔに、被検査太陽電池２０の実測温度Ｔ’と温度用太陽電池３０の実測温度Ｔｔ’の温度差を加算することで、被検査太陽電池の温度Ｔを求めることができる。
【００５３】
続いてステップＳ８０では、Ｐ１０で記憶した測定パラメータ（Ｖｓ，Ｖｅ，Ｐ）を用いて、被検査太陽電池２０の電流電圧特性（Ｉ’，Ｖ’）が測定される。なお、かかる測定においては、図１中のスイッチＳｗは被検査太陽電池（２０）側に接続され、電気特性測定部（５０）によって電流電圧データが測定される。
【００５４】
また、上記ステップＳ８０と同時にステップＳｉ８０が行われ、放射照度測定用の太陽電池４０の放射照度として、短絡電流ＩＲＣ’が測定される。
【００５５】
続いてステップＳｉ９０では、ステップＳｉ３０と同様に、補正式１を用い、短絡電流ＩＲＣ’に、温度係数αＲＣおよびステップＳｉ１０で測定された温度Ｔｉをもとに、短絡電流ＩＲＣ’の温度補正が実施される。
（ＩＲＣ＝ＩＲＣ’＋αＲＣ（２５−Ｔｉ）            （補正式１））
【００５６】
続くステップＳ１００では、ステップＳ８０で求めた被検査太陽電池２０の電流特性Ｉ’および電圧特性Ｖ’の基準状態補正が実施される。すなわち、以下のパラメータ或いは補正データをもとに、基準状態の電流電圧特性（Ｉ，Ｖ）となるよう、演算により補正値を算出する。
【００５７】
ステップＳ７０において求められた被検査太陽電池の温度Ｔ
パラメータＰｉ２０で規定された基準状態での短絡電流ＩＲＣ,ＳＴＣ
ステップＳｉ３０において基準状態の温度に補正された短絡電流ＩＲＣ
パラメータＰ２０で規定された短絡電流の温度係数α、開放電圧の温度係数β、直列抵抗Ｒｓ、曲線補正因子Κ
【００５８】
ここでＩｓｃ’はステップＳ８０で測定した被検査太陽電池２０の電圧電流特性（Ｉ’，Ｖ’）から求めた短絡電流である。
ここでは、補正式の一例として、電流値Ｉについては数式１の（１）式、電圧値Ｖについては数式２の（２）式をもとに補正が実施される。
【００５９】
（補正式５）
Ｉ＝Ｉ’＋Ｉｓｃ’（ＩＲＣ,ＳＴＣ／ＩＲＣ−１）＋α（２５−Ｔ）  （補正式５）
（補正式６）
Ｖ＝Ｖ’−Ｒｓ（Ｉ−Ｉ’）−ＫＩ（２５−Ｔ）＋β（２５−Ｔ）      （補正式６）
【００６０】
最後に、ステップＳ１１０では、被検査太陽電池の短絡電流（Ｉｓｃ）、開放電圧（Ｖｏｃ）および最大出力（Ｐｍａｘ）などの出力特性が、ステップＳ１００で求めた基準状態補正後の電流電圧特性値（Ｉ，Ｖ）から算出される。
【００６１】
以上、本発明によれば、被検査太陽電池と同じ構成の単セルまたはミニモジュールを用い、温度と放射照度とで別々に補正を実施し、太陽電池の規格に基づいた補正式を用いて、被検査太陽電池の温度補正を行うので、内部の温度を精度良く測定（特定）することが可能となり、太陽電池の性能を評価するための出力特性を、より高い精度で測定することが可能となる。
【符号の説明】
【００６２】
１０    太陽電池セル
１１    検査台
１２    温度センサ
１３    インターコネクタ
１４    ガラス板
１５    ＥＶＡ
１６    バックシート
１７    フレーム
２０    被検査太陽電池
２１    温度センサ
３０    温度測定用太陽電池
３１    温度センサ
４０    放射照度測定用太陽電池
４１    温度センサ
５０    電気特性測定部
６０    温度測定部
７０    処理部
７１    演算部
７２    メモリ
７３    表示部
１００  太陽電池出力測定装置
【図１】
2018133955.tif 000006
【図２】
2018133955.tif 000007
【図３】
2018133955.tif 000008
【図４】
2018133955.tif 000009
【図５】
2018133955.tif 000010